(57)【要約】【課題】幅広い用途に使用でき、特に授乳用クッションとして最適に用いられる多機能クッションを提供する。【解決手段】  多機能クッション１は、弾性材料が充填されてなり、授乳用クッションとして最適に用いられるものであって、弧状に形成されたクッション本体２と、前記クッション本体２の外周に巻き付けて取り付けるための取付ベルト３２，３３を有する補助枕３と、を備えてなることを特徴とする。【選択図】図２
2013179974.tif 000002
【特許請求の範囲】
【請求項１】
弾性材料が充填されてなり、授乳用クッションとして最適に用いられる多機能クッションであって、
弧状に形成されたクッション本体と、
前記クッション本体の外周に巻き付けて取り付けるための取付ベルトを有する補助枕と、
を備えてなることを特徴とする多機能クッション。
【請求項２】
前記取付ベルトは、前記補助枕の長手方向中間部に設けられることを特徴とする請求項１に記載の多機能クッション。
【請求項３】
前記クッション本体は、その両端同士を連結して、前記クッション本体をリング状に形成することができる連結部を両端部に有することを特徴とする請求項１または２に記載の多機能クッション。
【請求項４】
弧状に形成されたクッション本体を備え、弾性材料が充填されてなり、授乳用クッションとして最適に用いられる多機能クッションに設けられる補助枕であって、
前記クッション本体の外周に巻き付けて取り付けるための取付ベルトを有し、
前記取付ベルトは、長手方向中間部に設けられることを特徴とする補助枕。
【発明の詳細な説明】
【技術分野】
【０００１】
本発明は、幅広い用途に使用でき、特に授乳用クッションとして最適に用いられる多機能クッションに関する。
【背景技術】
【０００２】
従来、横たえた乳幼児を安定させた状態で授乳させることが可能なクッションとして、特許文献１に記載されるような、授乳者の腰部周りに巻き付けて取り付けるものが提案されている。
【０００３】
また、特許文献２には、授乳者の腰部周りに巻き付けて取り付けた状態で、乳幼児の足部側から頭部側へ向けて徐々に高くなる傾斜面で形成された授乳用クッションが記載されている。
【先行技術文献】
【特許文献】
【０００４】
【特許文献１】実用新案登録第３１４９１４１号公報
【特許文献２】特許第４４６２９６５号公報
【発明の概要】
【発明が解決しようとする課題】
【０００５】
しかしながら、授乳時には、乳幼児の頭部が授乳者の胸部高さに位置している必要があるため、特許文献１に記載のクッションを使用する場合には、乳幼児の頭部が高くなるように授乳者が乳幼児を支えながら授乳しなければならず、授乳者に負担がかかってしまうという問題があった。
【０００６】
また、特許文献２に記載のクッションでは、授乳者や乳幼児の体格などによって頭部側のクッションの高さが不十分となってしまい、結局、乳幼児の頭部が高くなるように乳幼児を支えながら授乳するため授乳者に負担がかかってしまうという問題があった。
【課題を解決するための手段】
【０００７】
本発明は、上述した技術背景に鑑み、幅広い用途に使用でき、特に授乳用クッションとして最適に用いられる多機能クッションの提供を目的とする。
【０００８】
即ち、本発明は下記［１］〜［４］に記載の構成を有する。
【０００９】
［１］  弾性材料が充填されてなり、授乳用クッションとして最適に用いられる多機能クッションであって、
弧状に形成されたクッション本体と、
前記クッション本体の外周に巻き付けて取り付けるための取付ベルトを有する補助枕と、
を備えてなることを特徴とする多機能クッション。
【００１０】
［２］  前記取付ベルトは、前記補助枕の長手方向中間部に設けられることを特徴とする前項１に記載の多機能クッション。
【００１１】
［３］  前記クッション本体は、その両端同士を連結して、前記クッション本体をリング状に形成することができる連結部を両端部に有することを特徴とする前項１または２に記載の多機能クッション。
【００１２】
［４］  弧状に形成されたクッション本体を備え、弾性材料が充填されてなり、授乳用クッションとして最適に用いられる多機能クッションに設けられる補助枕であって、
前記クッション本体の外周に巻き付けて取り付けるための取付ベルトを有し、
前記取付ベルトは、長手方向中間部に設けられることを特徴とする補助枕。
【発明の効果】
【００１３】
上記［１］に記載の発明によれば、クッション本体と、クッション本体の外周に巻き付けて取り付けるための取付ベルトを有する補助枕と、を備えた構成であるので、授乳する際の負担が低減される最適な部位に補助枕を取り付けることができ、クッション本体上に横たえた乳幼児の頭部がクッション本体に固定するように取り付けた補助枕に載置されることで乳幼児の体勢がより安定する上、乳幼児が動いた場合であっても取り付けた補助枕がずれることがない。
【００１４】
また、補助枕の配置位置を変更するなどして容易に微調整することができるので、乳幼児の頭部の高さなどの位置を適切に設定することができ、授乳を行い易い。
【００１５】
更に、クッション本体の外周に巻き付けて取り付けるための取付ベルトを有する補助枕を備えた構成であるので、クッション本体の外周や使用者の腕など外周周長の異なる部位であっても、取付ベルトで巻き付けて取り付けることにより補助枕を自在に取り付けることができる上、用途に応じて補助枕を使い分けることができる。
【００１６】
上記［２］に記載の発明によれば、取付ベルトが、補助枕の長手方向中間部に設けられているので、補助枕の長手方向がクッション本体の伸長方向に平行するように配置させて取り付けることができ、補助枕をクッション本体に取り付け易い。
【００１７】
上記［３］に記載の発明によれば、クッション本体が、両端同士を連結して、前記クッション本体をリング状に形成することができる連結部を両端部に有する構成であるので、連結部同士を連結することによってクッション本体を授乳者の腰部に固定することで、乳幼児が安定した状態で授乳することができる。
【００１８】
上記［４］に記載の発明によれば、多機能クッションに設けられ、クッション本体の外周に巻き付けて取り付けるための取付ベルトを有する補助枕であるので、授乳する際の負担が低減される最適な部位に補助枕を取り付けることができ、クッション本体上に横たえた乳幼児がクッション本体に固定するように取り付けた補助枕に載置されることで乳幼児の体勢がより安定する上、乳幼児が動いた場合であっても取り付けた補助枕がずれることがない。
【００１９】
また、補助枕の配置位置を変更するなどして容易に微調整することができるので、乳幼児の頭部の高さなどの位置を適切に設定することができ、授乳を行い易い。
【００２０】
更に、クッション本体の外周に巻き付けて取り付けるための取付ベルトを有する補助枕であるので、クッション本体の外周や使用者の腕など外周周長の異なる部位であっても、取付ベルトで巻き付けて取り付けることにより補助枕を自在に取り付けることができる上、用途に応じて補助枕を使い分けることができる。
【図面の簡単な説明】
【００２１】
【図１】本発明に係る多機能クッションの斜視図である。
【図２】図１に係る多機能クッションのクッション本体に補助枕を取り付けた状態の斜視図である。
【図３】（ａ）図１に係る多機能クッションに設けられるクッション本体の平面図，（ｂ）図１に係る多機能クッション使用時の一例におけるＸ−Ｘ断面図である。
【図４】図１に係る多機能クッションに設けられる補助枕の説明図である。
【図５】図１に係る多機能クッションの使用状態を示す説明図である。
【図６】図１に係る多機能クッションの使用状態を示す説明図である。
【発明を実施するための形態】
【００２２】
以下、図面を参照するなどして、本発明の多機能クッション１について説明する。
【００２３】
図１は、本発明に係る多機能クッション１の斜視図、図２は、図１に係る多機能クッションのクッション本体２に補助枕３を取り付けた状態の斜視図、図３は、（ａ）図１に係る多機能クッションに設けられるクッション本体の平面図，（ｂ）図１に係る多機能クッションの使用時の一例におけるＸ−Ｘ断面図、図４は、図１に係る多機能クッション１に設けられる補助枕３の説明図、図５〜６は、図１に係る多機能クッション１の使用状態を示す説明図である。
【００２４】
本発明の多機能クッション１は、乳幼児の枕やクッション、また乳幼児のみでなく大人も使用することができ、中でも特に授乳用クッションとして最適に用いられる多機能クッション１である。
【００２５】
多機能クッション１は、綿やポリウレタンなどの合成樹脂からなる弾性材料が充填されてなり、クッション本体２と、クッション本体２とは別体に設けた補助枕３を備えて構成される。
【００２６】
（クッション本体）
クッション本体２は、両端がやや先細りの三日月形状で、その両端の先端が向かい合うように弧状に形成されている。
【００２７】
図３（ａ）に示すように、クッション本体２の中央部の外周周長Ｃが最も長く、先端側に近い外周周長Ｃ´は外周周長Ｃよりも短い長さに設定される。
【００２８】
クッション本体２は、クッション材となる弾性材料が充填されたヌードクッションと、布材で形成され、ヌードクッションを被覆してクッション本体２の外表面となる本体カバーと、からなる。
【００２９】
クッション材の材料は、特に限定されるものでなく、弾性を有する材料が用いられるのであればよい。また、用いるクッション材の材料に合わせてクッション本体２の形状を適宜設定すればよい。
【００３０】
例えば、クッション本体２のクッション材に柔らかい材料を用いて、身体が沈みこみ易い場合には、クッション本体２を平坦な形状にするなどして身体の沈み込みを防ぐようにクッション本体２の形状を設定する。
【００３１】
また、本体カバーに使用される素材についても、特に限定されるものではないが、以下では、一例としてパイル素材及び綿素材を用いたカバーとして説明する。
【００３２】
本発明における本体カバーは、乳幼児Ｂを載置する側、即ち上面側にパイル素材、下面側に綿素材が用いられて形成されている。
【００３３】
尚、説明のため図示する網掛け部分を下面側として定義するが、本発明のクッション本体２及び補助枕３は上面・下面関係なく用いることができるものである。
【００３４】
本体カバーには、ヌードクッションの出し入れがなされる開口部（図示しない）が設けられ、開口部がファスナーによって開閉可能になっている。
【００３５】
クッション本体２の本体カバーの両端には、その両端同士を連結して、クッション本体２をリング状に形成することができる連結部２１，２２が設けられている。
【００３６】
連結部２１，２２には、例えば、雌雄スナップ２１ａ，２２ａが用いられ、一端の表面側に雄（雌）スナップ２１ａ（２２ａ）が設けられ、他端の裏面側に雌（雄）スナップ２２ａ（２１ａ）が設けられる。
【００３７】
一方の端部及び他方の端部にそれぞれ連結部２１，２２が設けられ、両端部の当該連結部２１，２２同士を連結することによって、クッション本体２をリング状に形成することができる。
【００３８】
（補助枕）
図４に示すように、補助枕３は、角部が丸みを帯びた略直方体形状に形成された補助枕本体３１と、後述する取付ベルト３２，３３とを備える。
【００３９】
補助枕本体３１は、クッション本体２と同様に、クッション材が充填されたヌードクッションと、ヌードクッションを被覆して補助枕本体３１の外表面となる補助枕カバーとからなる。
【００４０】
本発明の補助枕カバーは、例えば、上面側にパイル素材、下面側に綿素材が用いられて形成されているが、クッション本体２の本体カバーと同様に、補助枕カバーに使用される素材は特に限定されるものではない。
【００４１】
取付ベルト３２，３３は、補助枕本体３１をクッション本体２の外周に巻き付けて取り付けるためのものである。
【００４２】
取付ベルト３２，３３は、ゴム或いはポリウレタンなどの伸縮素材で形成され、補助枕本体３１の長手方向中間部に設けられる。
【００４３】
尚、取付ベルト３２，３３は、補助枕本体３１などの取付対象により安定して固定させることが出来るので伸縮素材で形成されることが好ましいが、例えば綿布などの伸縮しない素材で形成されるのであってもよい。
【００４４】
取付ベルト３２，３３の自由端には、面ファスナーなどの止着部材からなる止着部３２ａ，３３ａがそれぞれ設けられる。
【００４５】
一方の止着部３２ａは、他方の止着部３３ａに互いに取り付け可能に構成されており、両自由端に設けた止着部３２ａ，３３ａ同士が互いに取り付け可能に構成されていることにより、補助枕３をクッション本体２に巻き付けて取り付けることができる。
【００４６】
本発明の多機能クッション１では、止着部３２ａ，３３ａの長さは、取付ベルト３２，３３の長さの少なくとも半分以上の長さに設定される。例えば、取付ベルト３２，３３の長さ約２３ｃｍに対して、止着部３２ａ，３３ａの長さは約１５ｃｍで設けられる。
【００４７】
取付ベルト３２，３３の長さの少なくとも半分以上の長さの止着部３２ａ，３３ａが設けられることで、取り付ける対象の外周周長に対応して取付ベルト３２，３３同士の取り付け位置を調整するための充分な止着部３２ａ，３３ａが設定されるので、多様な外周周長に対応して補助枕３を取り付けることができる。
【００４８】
補助枕３は、その長手方向がクッション本体２の幅方向に直交するように配置され、取付ベルト３２，３３でクッション本体２に巻き付けて取り付けられる。
【００４９】
取付ベルト３２，３３が、補助枕３の長手方向中間部に設けられているので、補助枕３の長手方向がクッション本体２の伸長方向に平行するように配置させて取り付けることができ、補助枕３をクッション本体２に取り付け易い。
【００５０】
図３（ｂ）に示すように、補助枕３の厚みＤは、クッション本体２の厚みＤｃの半分程度に設定される。例えば本発明では、クッション本体２の厚みＤｃ約１７ｃｍ、補助枕３の厚みＤ約８ｃｍに設定されている。
【００５１】
尚、補助枕３の厚みＤは、授乳者Ｍの腰部にクッション本体２を装着した状態で、補助枕３をクッション本体２上に載置した際に、補助枕３の上面が授乳に適した授乳者Ｍの胸部近傍の高さに位置するように設定されるとよい。
【００５２】
補助枕３の長手方向幅Ｌは、弾性材料を充填したクッション本体２の最大外周長Ｃの径よりも短くなるように設定されることが好ましく、補助枕３の短手方向幅Ｗは、乳幼児Ｂの頭部を安定して載置することができる幅に設定されることが好ましい。
【００５３】
（使用例）
以降、図５，６に基づいて本発明の多機能クッション１の具体的な使用例について説明する。
【００５４】
図５に示すように、乳幼児Ｂに授乳する場合、クッション本体２を授乳者Ｍの腰部の周囲に取り付けて、授乳者Ｍの背中側でクッション本体２の連結部２１，２２同士を連結して、授乳者Ｍの腰部にクッション本体２をリング状に固定させる。
【００５５】
クッション本体２が、両端同士を連結して、前記クッション本体２をリング状に形成することができる連結部２１，２２を両端部に有する構成であるので、連結部２１，２２同士を連結することによってクッション本体２を授乳者Ｍの腰部に固定することにより、乳幼児Ｂが安定した状態で授乳することができる。
【００５６】
クッション本体２に取付ベルト３２，３３を巻き付けて取り付け、クッション本体２に乳幼児Ｂを横たえ、クッション本体２上で固定された補助枕３に乳幼児Ｂの頭部を載置する。
【００５７】
尚、もちろん補助枕３の取り付け順序はこれに限定されるものではなく、補助枕３をクッション本体２に取り付けた後に、授乳者Ｍの腰部にクッション本体２を取り付けるのであってもよい。
【００５８】
この時、補助枕３に載置した乳幼児Ｂの頭部の位置が、授乳に適した位置でない場合には、取付ベルト３２，３３を一旦取り外し、補助枕３の取り付け位置を変更するなどして微調整して、乳幼児Ｂの頭部の位置を適切に設定すればよい。
【００５９】
補助枕３の取り付け位置を微調整することで、授乳に適した授乳者の胸部近傍に乳幼児Ｂの頭部を載置できる。
【００６０】
このように、クッション本体２と、クッション本体２の外周に巻き付けて取り付けるための取付ベルト３２，３３を有する補助枕３と、を備えた構成であるので、授乳する際の負担が低減される最適な部位に補助枕３を取り付けることができ、クッション本体２上に横たえた乳幼児Ｂの頭部がクッション本体２に固定するように取り付けた補助枕３に載置されることで乳幼児Ｂの体勢がより安定する上、乳幼児Ｂが動いた場合であっても取り付けた補助枕３がずれることがない。
【００６１】
また、補助枕３の配置位置を変更するなどして容易に微調整することができるので、乳幼児Ｂの頭部の高さなどの位置を適切に設定することができ、授乳を行い易い。
【００６２】
多機能クッション１は、上述したような授乳用クッションとしてだけでなく、様々なシーンで用いることが可能である。
【００６３】
図６（ａ）に示すように、例えば、クッション本体２のみを用いることにより、乳幼児Ｂをクッション本体２の中心部に座らせて、お座りのサポートのためのクッションとして用いることができる。
【００６４】
本図面では、クッション本体２の連結部２１，２２を連結した状態で乳幼児がお座りするように示したが、連結部２１，２２の連結を解除した状態で、例えば抱き枕として使用されるのであってもよい。
【００６５】
また、図６（ｂ）に示すように、補助枕３をクッション本体２以外に取り付けて用いるのであってもよい。例えば、乳幼児Ｂを授乳者Ｍが抱く際に、授乳者Ｍの二の腕に補助枕３を取り付けておいて乳幼児Ｂのクッションとして用いることもできる。
【００６６】
クッション本体２は、その連結部２１，２２が授乳者Ｍの腹側で連結され、リング状に腰部に取り付けられることで、腰痛の軽減に用いられるのであってもよい。
【００６７】
もちろん、クッション本体２と補助枕３は、図６（ｂ）に示すように同時に用いられなくてもよく、それぞれ別個に用いられるのであってもよい。また、妊婦など授乳者Ｍ以外の腰部にクッション本体２を取り付けて用いるのであってもよい。
【００６８】
更に、図６（ｃ）に示すように、クッション本体２のみを用いるのであってもよい。使用者Ｕは授乳者Ｍや乳幼児Ｂに限るものではなく、使用者Ｕの腰部にクッション本体２を取り付けた状態で使用して、読書時などに用いて腕にかかる負担を軽減させることもできる。この場合、クッション本体２の連結部２１，２２は、使用者Ｕの背中側で連結されてリング状に腰部に取り付けられる。
【００６９】
補助枕３がクッション本体２の外周に巻き付けて取り付けるための取付ベルト３２，３３を有しているので、クッション本体２の外周Ｃ、Ｃ´や使用者Ｕの腕など補助枕３の取り付けたい部位の外周周長が異なる場合であっても、取り付け部位の外周周長に応じて取付ベルト３２，３３の止着部３２ａ，３３ａの取り付け位置を調整し、取付ベルト３２，３３で巻き付けて取り付けることによって補助枕３を自在に取り付けることができる上、用途に応じて補助枕を使い分けることができる。
【００７０】
また、クッション本体２の上面側のみだけでなく、クッション本体２の側部など、必要に応じて補助枕３を取り付けることができる。
【００７１】
上述したように、補助枕３の取付ベルト３２，３３に設けられる止着部３２ａ，３３ａは、取付ベルト３２，３３の長さの少なくとも半分以上の長さであることが好適であるが、どの部位においても外周周長の差異が小さいクッション本体２に取り付ける補助枕３である場合などでは、止着部３２ａ，３３ａの長さ設定はこれに限定されるものではなく、取り付け対象に合わせて適宜設定すればよい。
【００７２】
また、止着部３２ａ，３３ａは、取付ベルト３２，３３の両面に設けられるのであってもよい。このように構成すれば、補助枕３の上面・下面関係なくクッション本体２に取り付けることができる。
【００７３】
さらにまた、クッション本体２に止着部を設けて、取付ベルト３２，３３の止着部３２ａ，３３ａと取り付け可能に構成されるのであってもよい。
【００７４】
上述した補助枕３の形状は、略直方体形状に限定されるものではなく、角部が丸みを帯びた略半円柱状、高さに変化のない上面が平坦な形状、或いはキャラクターなどの顔の形状などであってもよく、乳幼児Ｂの体勢が安定した状態で授乳させることができる補助枕であればその形状は問わない。
【００７５】
上述では、補助枕３の長手方向中間部にそれぞれ１本ずつ取付ベルト３２，３３を設けるように図示して説明したが、取付ベルト３２，３３の取付本数、取付位置、太さなどはこれに限定されるものではない。
【００７６】
例えば、補助枕３の長手方向中間部の両側に同一太さの取付ベルトを２本以上備えるのであってもよいし、補助枕３の短手方向中間部に取付ベルトが取り付けられる、また、補助枕３の短手方向幅Ｗ或いは長手方向幅Ｌと同程度の太さの取付ベルトを設けるのであってもよい。
【００７７】
上述の連結部２１，２２には雌雄スナップが用いられるように説明したが、面ファスナーなどが用いられるのであってもよく、クッション本体２の両端同士が連結できるように構成されているのであれば特に限定されるものではない。
【００７８】
上述したように、クッション本体２及び補助枕３は、それぞれ本体カバー及び補助枕カバーが設けられることで、当該カバーを洗濯するなどして常に清潔を保つことが出来るので好ましいが、カバーを備えずにクッション材を充填する袋のみで形成されるのであってもよい。
【００７９】
上述の説明中の数値については、いずれも設計事項であり、実施例に限定されるものではない。
【００８０】
以上説明した実施形態は、本発明の一例に過ぎず、本発明の作用効果を奏する範囲において具体的構成などを適宜変更設計できることは言うまでもない。
【符号の説明】
【００８１】
１…多機能クッション１
２…クッション本体
３…補助枕
２１，２２…連結部
３２，３３…取付ベルト
【図１】
2013179974.tif 000003
【図２】
2013179974.tif 000004
【図３】
2013179974.tif 000005
【図４】
2013179974.tif 000006
【図５】
2013179974.tif 000007
【図６】
2013179974.tif 000008